(57)【要約】【課題】過度応答に起因する突入電流を抑制しながら、同時に伝導ノイズに起因する雑音端子電圧を低減することが可能なＬＥＤ照明ユニット用電源回路を提供する。【解決手段】ＬＥＤ照明ユニット用電源回路が、商用電源に接続される入力フィルタ回路と、入力フィルタ回路から出力された交流電流を直流電流に変換し、変換した直流電流をＬＥＤ照明ユニットに供給する直流電流供給回路とを備え、入力フィルタ回路がノーマルモードフィルタとコモンモードフィルタを有する。【選択図】図１
2015056271.tif 000002
【特許請求の範囲】
【請求項１】
商用電源に接続される入力フィルタ回路と、
前記入力フィルタ回路から出力された交流電流を直流電流に変換し、変換した直流電流をＬＥＤ照明ユニットに供給する直流電流供給回路と、
を備え、
前記入力フィルタ回路がノーマルモードフィルタとコモンモードフィルタを有することを特徴とするＬＥＤ照明ユニット用電源回路。
【請求項２】
前記ノーマルモードフィルタが、前記商用電源の一対の端子にそれぞれ接続される一対のノーマルモードチョークコイルと、前記ノーマルモードチョークコイルから出力する一対の出力ライン間に接続される第１のコンデンサとを有し、
前記コモンモードフィルタが、前記ノーマルモードチョークコイルから出力する一対の出力ライン間に接続されるコモンモードチョークコイルと、前記ノーマルモードチョークコイルから出力する一対の出力ライン間に接続されるラインバイパスコンデンサと、前記コモンモードチョークコイルから出力する一対の出力ライン間に接続される第２のコンデンサとを有することを特徴とする請求項１記載のＬＥＤ照明ユニット用電源回路。
【請求項３】
前記商用電源側から、前記ノーマルモードフィルタと前記コモンモードフィルタが前記ノーマルモードフィルタと前記コモンモードフィルタの順に配置されることを特徴とする請求項１又は請求項２記載のＬＥＤ照明ユニット用電源回路。
【請求項４】
前記ノーマルモードフィルタと前記コモンモードフィルタが、互いに異なるインダクタンス値を有していることを特徴とする請求項１から３のいずれか１項記載のＬＥＤ照明ユニット用電源回路。
【請求項５】
請求項１から４のいずれか１項記載のＬＥＤ照明ユニット用電源回路を備えることを特徴とするＬＥＤ照明装置。
【請求項６】
請求項１から４のいずれか１項記載のＬＥＤ照明ユニット用電源回路を複数個備えることを特徴とするＬＥＤ照明装置。
【請求項７】
請求項１から４のいずれか１項記載のＬＥＤ照明ユニット用電源回路を複数個備え、
前記直流電流供給回路が、直流電流を前記ＬＥＤ照明ユニットに供給するためのスイッチを各々備え、
前記スイッチの各々の動作タイミングを制御することにより、直流電流を前記ＬＥＤ照明ユニットに供給することを特徴とするＬＥＤ照明装置。
【発明の詳細な説明】
【技術分野】
【０００１】
本発明は、発光ダイオード（ＬＥＤ）を光源とするＬＥＤ照明ユニットを駆動するＬＥＤ照明ユニット用電源回路、及びそのようなＬＥＤ照明ユニット用電源回路を備えるＬＥＤ照明装置に関する。
【背景技術】
【０００２】
ＬＥＤ照明装置の普及に伴って、ＬＥＤ照明ユニット用電源回路の開発が必要となっている。ＬＥＤ照明ユニット用電源回路の開発にあたって、配電盤の絶縁性能における負担と影響を軽減するために、過度応答の際に電源回路の容量成分に起因して発生する突入電流を抑制することが必要となる。また、ＬＥＤ照明ユニット用電源回路において、突入電流を抑制することに加えて、ＬＥＤ照明のちらつきを防止するために、伝導ノイズを低減することが必要とされる。
このように突入電流を抑制する共に伝導ノイズの低減するために、突入電流制限回路とノイズ除去回路とを備える照明用ＬＥＤランプの電源装置が提案されている（例えば、特許文献１参照）。
特許文献１に記載される照明用ＬＥＤランプの電源装置では、コイルと抵抗を並列接続した突入電流制限回路と、コモンモードチョークコイルとコンデンサを接続したノイズ除去回路を備える。
【先行技術文献】
【特許文献】
【０００３】
【特許文献１】特開２０１０−２７７８１９号公報（段落［００２６］、［００２７］及び図１）
【発明の概要】
【発明が解決しようとする課題】
【０００４】
ＬＥＤ照明ユニット用電源回路において突入電流を抑制し、且つ伝導ノイズを低減しようとすると以下の問題が生じ、その解決が必要となっていた。
すなわち、電源回路の突入電流の値は、回路のインピーダンスの値により定められる。したがって、インピーダンスの値を大きくすると突入電流の値も制限される。
しかしながら、インピーダンスの値を大きくすると交流電流の流れも制限される。また、抵抗値を大きくすると発熱の問題が生じる。他方、インダクタンスの値を大きくすると、電流の波形に歪みが生じる。
また、整流後の電圧変動を小さくするためには、入力側に接続された入力側平滑コンデンサの容量を大きくすることが有効である。しかしながら、電源回路で発生する突入電流は、入力側に接続された入力側平滑コンデンサの容量に応じて増加する。
【０００５】
コモンモードチョークコイルのインダクタンス値を大きくすると、周波数の低い帯域で雑音端子電圧（伝導ノイズ）の抑制効果が大きくなり、他方、インダクタンス値を小さくすると、周波数の高い帯域で雑音端子電圧（伝導ノイズ）の抑制効果が大きくなる。このように、雑音端子電圧の抑制効果は、コモンモードチョークコイルのインダクタンス値により周波数依存性を有する。
【０００６】
このように、ＬＥＤ照明ユニット用電源回路のインピーダンス値、容量値、及び抵抗値を整合させて、ＬＥＤ照明ユニット用電源回路の突入電流を大幅に低減すると共に、雑音端子電圧（伝導ノイズ）を低減することはこれまで困難であった。
【０００７】
本発明の目的は、過度応答に起因する突入電流を抑制しながら、同時に伝導ノイズに起因する雑音端子電圧を低減することが可能なＬＥＤ照明ユニット用電源回路及びＬＥＤ照明装置を提供することである。
【課題を解決するための手段】
【０００８】
上記目提起を達成するために、本発明に係るＬＥＤ照明ユニット用電源回路は、
商用電源に接続される入力フィルタ回路と、
前記入力フィルタ回路から出力された交流電流を直流電流に変換し、変換した直流電流をＬＥＤ照明ユニットに供給する直流電流供給回路と、
を備え、
前記入力フィルタ回路がノーマルモードフィルタとコモンモードフィルタを有することを特徴とする。
【０００９】
本発明に係るＬＥＤ照明ユニット用電源回路は、ノーマルモードフィルタとコモンモードフィルタの両方を備えることにより、電源回路の容量に起因する突入電流と伝導ノイズに起因する雑音端子電圧の両方を低減することが可能になる。
【００１０】
本発明に係るＬＥＤ照明ユニット用電源回路は、前記ノーマルモードフィルタが、前記商用電源の一対の端子にそれぞれ接続される一対のノーマルモードチョークコイルと、前記ノーマルモードチョークコイルから出力する一対の出力ライン間に接続される第１のコンデンサとを有し、
前記コモンモードフィルタが、前記ノーマルモードチョークコイルから出力する一対の出力ライン間に接続されるコモンモードチョークコイルと、前記ノーマルモードチョークコイルから出力する一対の出力ライン間に接続されるラインバイパスコンデンサと、前記コモンモードチョークコイルから出力する一対の出力ライン間に接続される第２のコンデンサとを有することを特徴としても良い。
本発明に係るＬＥＤ照明ユニット用電源回路は、ノーマルモードフィルタとコモンモードフィルタがこのような構成を有することにより、電源回路の容量に起因する突入電流と伝導ノイズに起因する雑音端子電圧の両方を低減することが可能になる。
【００１１】
本発明に係るＬＥＤ照明ユニット用電源回路は、前記商用電源側から、前記ノーマルモードフィルタと前記コモンモードフィルタが前記ノーマルモードフィルタと前記コモンモードフィルタの順に配置されることを特徴としても良い。
本発明に係るＬＥＤ照明ユニット用電源回路は、ノーマルモードフィルタとコモンモードフィルタの両方を備えることにより、電源回路の容量に起因する突入電流と伝導ノイズに起因する雑音端子電圧の両方を低減することが可能になり、特に、前記ノーマルモードフィルタと前記コモンモードフィルタをこのような順に配置することにより、過度電流を抑制して、特に突入電流を低減することが可能になる。
【００１２】
本発明に係るＬＥＤ照明ユニット用電源回路は、前記ノーマルモードフィルタと前記コモンモードフィルタが、互いに異なるインダクタンス値を有していることを特徴としても良い。
本発明に係るＬＥＤ照明ユニット用電源回路では、インダクタンスを異なる値に設定すると、低い周波数帯域と高い周波数帯域の両方で雑音端子電圧を低減し、伝導ノイズを抑制することが可能となる。
【００１３】
本発明に係るＬＥＤ照明装置は、上述のＬＥＤ照明ユニット用電源回路を備えることを特徴とする。
本発明に係るＬＥＤ照明装置は、そのＬＥＤ照明ユニット用電源回路が、ノーマルモードフィルタとコモンモードフィルタの両方を備えるので、電源回路の容量に起因する突入電流と伝導ノイズに起因する雑音端子電圧の両方を低減することが可能になる。
【００１４】
本発明に係るＬＥＤ照明装置は、上述のＬＥＤ照明ユニット用電源回路を複数個備えることを特徴としても良い。
本発明に係るＬＥＤ照明装置は、上述のＬＥＤ照明ユニット用電源回路を複数個備えて連結駆動することにより、突入電流を抑制しながら高出力化を図ることが可能になる。
【００１５】
本発明に係るＬＥＤ照明装置は、上述のＬＥＤ照明ユニット用電源回路を複数個備え、
前記直流電流供給回路が、直流電流を前記ＬＥＤ照明ユニットに供給するためのスイッチを各々備え、
前記スイッチの各々の動作タイミングを制御することにより、直流電流を前記ＬＥＤ照明ユニットに供給することを特徴としても良い。
本発明に係るＬＥＤ照明装置は、上述の複数個のＬＥＤ照明ユニット用電源回路を連結駆動する際に、各々のＬＥＤ照明ユニット用電源回路が備えるスイッチの動作タイミングを制御することにより、突入電流のピーク値を抑制しながら高出力化を図ることが可能になる。
【発明の効果】
【００１６】
本発明に係るＬＥＤ照明ユニット用電源回路及びＬＥＤ照明装置は、上述のように入力フィルタ回路にノーマルモードフィルタとコモンモードフィルタの両方を備えることにより、電源回路の容量に起因する突入電流と伝導ノイズに起因する雑音端子電圧の両方を共に低減することが可能になる。
すなわち、本発明に係るＬＥＤ照明ユニット用電源回路及びＬＥＤ照明装置では、電源回路の容量に起因する突入電流を抑制することによりＬＥＤ照明ユニット用電源回路及びＬＥＤ照明装置の絶縁性能における要求を軽減すると共に、伝導ノイズに起因する雑音端子電圧を低減することによりＬＥＤ照明のちらつきを少なくすることが可能になる。
【図面の簡単な説明】
【００１７】
【図１】本発明の第１の実施形態に係るＬＥＤ照明装置の等価回路図である。
【図２】（ａ）は、第１の実施形態に係るＬＥＤ照明ユニット用電源回路における突入電流の測定結果を２０μＳ／ｄｉｖの時間軸で示すグラフであり、（ｂ）は、比較例に係るＬＥＤ照明ユニット用電源回路における突入電流の測定結果を２０μＳ／ｄｉｖの時間軸で示すグラフである。
【図３】（ａ）は、第１の実施形態に係るＬＥＤ照明ユニット用電源回路における９ｋＨｚ〜１５０ｋＨｚ周波数帯域の雑音端子電圧の測定結果を示すグラフであり、は、第１の実施形態に係るＬＥＤ照明ユニット用電源回路における１５０ｋＨｚ〜３０ＭＨｚ周波数帯域の雑音端子電圧の測定結果を示すグラフであり、（ｃ）は、比較例に係るＬＥＤ照明ユニット用電源回路における９ｋＨｚ〜１５０ｋＨｚ周波数帯域の雑音端子電圧の測定結果を示すグラフであり、（ｄ）は、比較例に係るＬＥＤ照明ユニット用電源回路における１５０ｋＨｚ〜３０ＭＨｚ周波数帯域の雑音端子電圧の測定結果を示すグラフである。
【図４】（ａ）は、第１の実施形態に係るＬＥＤ照明ユニット用電源回路を構成する回路部品を回路基板に配置した状態を回路基板の表面から示す平面図であり、（ｂ）は、該回路部品を回路基板に配置した状態を回路基板の裏面から示す裏面図である。
【図５】図４（ａ）の平面図と第１の実施形態に係るＬＥＤ照明ユニット用電源回路を構成する各回路部品との対応を示す説明図である。
【図６】本発明の第２の実施形態に係るＬＥＤ照明装置の等価回路図である。
【発明を実施するための形態】
【００１８】
［第１の実施形態］
以下、本発明の実施形態を添付の図により説明する。図１は、本発明の実施形態に係るＬＥＤ照明装置１の等価回路図を示す。ＬＥＤ照明装置１は、ＬＥＤを備えＬＥＤに直流電流を加えてＬＥＤ発光を行うＬＥＤ照明ユニット２と、商用交流電源に接続され、交流電流を直流電流に変換し、直流電流を該ＬＥＤ照明ユニット２に供給するためのＬＥＤ照明ユニット用電源回路３とを備える。
【００１９】
ＬＥＤ照明ユニット用電源回路３は、商用電源に接続され、過度現象に起因する突入電流を抑制すると共に伝導ノイズに起因する雑音端子電圧を低減するための入力フィルタ回路３１と、入力フィルタ回路３１から出力された交流電流を直流電流に変換し、変換した直流電流をＬＥＤ照明ユニット２に供給する直流電流供給回路３６とを備える。
第１の実施形態に係るＬＥＤ照明ユニット用電源回路３について、交流電源側から順をおって更に詳細に記載する。
【００２０】
入力フィルタ回路３１は、回路保護用のヒューズＦ１を通して交流電源に接続される。そして、入力フィルタ回路３１は、ノーマルモードフィルタ３２とコモンモードフィルタ３３とを備える。すなわち、第１の実施形態に係るＬＥＤ照明ユニット用電源回路３では、入力フィルタ回路３１は、電源回路内の閉回路で発生するノーマルモードノイズを抑制するためのノーマルモードフィルタ３２と、電源回路とアース間で浮遊容量を経由して発生するコモンモードノイズを抑制するためのコモンモードフィルタ３３との両方を備える。第１の実施形態では、入力フィルタ回路３１が、ノーマルモードフィルタ３２とコモンモードフィルタ３３の両方を備えるので、回路のインダクタンス値、容量値、及び抵抗値を選定して定めることにより、電源投入時に発生する突入電流と伝導ノイズに起因する雑音端子電圧の両方を抑制することが可能になる。
【００２１】
図１に示す第１の実施形態に係るＬＥＤ照明ユニット用電源回路３では、ノーマルモードフィルタ３２は、商用電源の一対の端子にそれぞれ接続される一対のノーマルモードチョークコイルＬ１、Ｌ２と、ノーマルモードチョークコイルＬ１、Ｌ２から出力する一対の出力ライン間に接続される平滑用の第１のコンデンサＣ１とを有する。
また、コモンモードフィルタ３３は、ノーマルモードチョークコイルＬ１、Ｌ２から出力する一対の出力ライン間に接続されるコモンモードチョークコイルＬ３と、ノーマルモードチョークコイルＬ１、Ｌ２から出力する一対の出力ライン間に接続されるラインバイパスコンデンサＣ３、Ｃ４と、コモンモードチョークコイルＬ３から出力する一対の出力ライン間に接続される平滑用の第２のコンデンサＣ２とを有する。
【００２２】
ラインバイパスコンデンサＣ３、Ｃ４は、Ｙコンとも称される。ラインバイパスコンデンサは、コンデンサＣ３とＣ４の接続部をアースに接続して使用される。ラインバイパスコンデンサＣ３、Ｃ４は、コモンモードノイズを抑制する効果を有する。他方、平滑用に使用される第１のコンデンサＣ１と第２のコンデンサＣ２は、ノーマルモードノイズを抑制する効果を有する。
【００２３】
ノーマルモードチョークコイルＬ１、Ｌ２とコモンモードチョークコイルＬ３は、互いに異なるインダクタンス値を有しても良い。ノーマルモードチョークコイルとコモンモードチョークコイルが互いに異なるインダクタンス値を有することにより、低い周波数帯域と高い周波数帯域の両方で雑音端子電圧を低減することが可能になる。
【００２４】
本発明の第１の実施形態に係るＬＥＤ照明ユニット用電源回路３において、直流電流供給回路３６は、例えば、交流電流を直流電流に整流するブリッジダイオード３７を備える。また、直流電流供給回路３６は、ＬＥＤ照明ユニット２への直流電流の供給をオンオフするためのスイッチング素子３８とスイッチングトランス３９を備えても良い。なお、直流電流供給回路は、入力フィルタ回路から出力された交流電流を直流電流に変換し、変換した直流電流をＬＥＤ照明ユニットに供給する構成を含めば良く、前述の構成に限定されない。
【００２５】
第１の実施形態に係るＬＥＤ照明ユニット用電源回路３は、高電圧に対して回路を保護するためのバリスタＺＮＲ１、ＺＮＲ２を備えても良い。また、第１の実施形態に係るＬＥＤ照明ユニット用電源回路３は、温度補償用のサーミスタＴＨ１を備えても良い。
【００２６】
本発明の第１の実施形態に係るＬＥＤ照明ユニット用電源回路における突入電流と雑音端子電圧の測定結果を、比較例に係るＬＥＤ照明ユニット用電源回路における突入電流と雑音端子電圧の測定結果と比較して記載する。
【００２７】
測定結果の説明に先立って、第１の実施形態に係るＬＥＤ照明ユニット用電源回路と比較例に係るＬＥＤ照明ユニット用電源回路の構成について説明する。
第１の実施形態に係るＬＥＤ照明ユニット用電源回路の入力フィルタ回路は、上述のようにノーマルモードフィルタとコモンモードフィルタの両方を備える。
これに対して、比較例に係るＬＥＤ照明ユニット用電源回路は、第１の実施形態に係るＬＥＤ照明ユニット用電源回路に想到する途中の段階で、突入電流と雑音端子電圧の抑制のために発明者によって検討されたものである。比較例に係るＬＥＤ照明ユニット用電源回路は、インダクタンス値が相互に異なる２個のコモンモードフィルタを備える。２個のコモンモードフィルタのインダクタンス値が相互に異なるのは、低い周波数帯域と高い周波数帯域の両方で雑音端子電圧を抑制するためである。
【００２８】
図２を参照しながら、突入電流の測定結果について記載する。
図２の（ａ）のグラフは、本発明の第１の実施形態に係るＬＥＤ照明ユニット用電源回路における突入電流の測定結果を示し、図２の（ｂ）のグラフは、比較例に係るＬＥＤ照明ユニット用電源回路における突入電流の測定結果を示す。これらの測定は、入力電圧１００Ｖ、入力電圧周波数５０Ｈｚ、周囲温度２７．４℃、及び周囲湿度５３．０％の条件でＬＥＤを負荷として接続して行われた。図２の（ａ）と（ｂ）共に、上側の入力電圧波形の縦軸は２００Ｖ／ｄｉｖ、下側の入力電流の縦軸は２Ａ／ｄｉｖ、横軸の時間は２０μｓ／ｄｉｖである。図２の（ａ）から、本発明の第１の実施形態に係るＬＥＤ照明ユニット用電源回路における突入電流のピーク値は１．３６Ａである。これに対して、図２の（ｂ）から、比較例に係るＬＥＤ照明ユニット用電源回路における突入電流のピーク値は６．４０Ａである。このことから、本発明の実施形態では比較例に比して、突入電流の値が大幅に低くなっていることが分かる。
【００２９】
図３を参照しながら、伝導ノイズに起因する雑音端子電圧の測定結果について以下に記載する。
図３（ａ）のグラフは、本発明の第１の実施形態に係るＬＥＤ照明ユニット用電源回路における９ｋＨｚ〜１５０ｋＨｚ周波数帯域の雑音端子電圧の測定結果を示し、図３（ｂ）のグラフは、第１の実施形態に係るＬＥＤ照明ユニット用電源回路における１５０ｋＨｚ〜３０ＭＨｚ周波数帯域の雑音端子電圧の測定結果を示す。また、図３（ｃ）のグラフは、比較例に係るＬＥＤ照明ユニット用電源回路における９ｋＨｚ〜１５０ｋＨｚ周波数帯域の雑音端子電圧の測定結果を示し、図３（ｄ）のグラフは、比較例に係るＬＥＤ照明ユニット用電源回路における１５０ｋＨｚ〜３０ＭＨｚ周波数帯域の雑音端子電圧の測定結果を示すグラフである。本発明の実施形態に係るＬＥＤ照明ユニット用電源回路における雑音端子電圧を示す図３（ａ）と図３（ｂ）のグラフと比較例に係る図３（ｃ）と図３（ｄ）のグラフを９ｋＨｚ〜３０ＭＨｚ周波数帯域の全域で比較すると、本発明の第１の実施形態に係るＬＥＤ照明ユニット用電源回路において、雑音端子電圧が、比較例における雑音端子電圧と比較して大幅に低減されていることが分かる。
【００３０】
図３（ａ）〜図３（ｄ）の雑音端子電圧を示す各グラフに参考のためにＱＰ限度値を記載する。ＱＰ限度値は、規格Ｃｉｓｐｒ１５に定められる電気照明及び類似機器の無線妨害波特性の許容値を示す。ＱＰ限度値は、引き出し線の１点のみを表示するものではなく、連続する線上の値が各周波数の値と対応するＱＰ限度値となる。各雑音端子電圧の値は、いずれもＱＰ限度値より低い。
【００３１】
第１の実施形態に係るＬＥＤ照明ユニット用電源回路及びＬＥＤ照明装置は、入力フィルタ回路にノーマルモードフィルタとコモンモードフィルタの両方を備えることにより、電源回路の容量に起因し過度応答の際に発生する突入電流と伝導ノイズに起因する雑音端子電圧の両方を低減することが可能になる。
すなわち、第１の実施形態に係るＬＥＤ照明ユニット用電源回路及びＬＥＤ照明装置では、ノーマルモードフィルタとコモンモードフィルタの両方を備えることにより、突入電流を大幅に低減する共に、ＬＥＤ照明のちらつきが少なくなる程度まで伝導ノイズを抑制することが可能になる。
【００３２】
上述のように、第１の実施形態に係るＬＥＤ照明ユニット用電源回路及びＬＥＤ照明装置では、突入電流を大幅に低減することにより、配電盤の絶縁性能に関する要求を軽減し、配電盤をコンパクトにし低コスト化すると共に配電盤の信頼性を向上することが可能になる。また、伝導電圧を抑制することにより、ＬＥＤ照明のちらつきを防止しＬＥＤ照明を安定化することが可能になる。すなわち、第１の実施形態において、突入電流を大幅に低減すると共に伝導電圧を抑制することにより、配電盤をコンパクトにすると共にＬＥＤ照明を安定化することが可能になる。
【００３３】
ノーマルモードフィルタを追加することにより突入電流低減効果が増すのは、ノーマルモードチョークコイルのインピーダンスが突入電流を低減するためである。
ノーマルモードフィルタを追加することの利点とノーマルモードフィルタをコモンモードフィルタより電源側に配置することの利点について以下に更に詳細に説明する。
【００３４】
従来の一般的な構成では、電源側からコンデンサ、コイルを含むコモンモードフィルタ、コンデンサ、及びコイルを含むコモンモードフィルタの順に配置される。
それに対し、本発明の実施形態の構成においては、電源側からコイルを含むノーマルモードフィルタ、コンデンサ、コイルを含むコモンモードフィルタ、及びコンデンサの順に配置される。
【００３５】
まず、コイルを含むフィルタがコンデンサより電源側に配置される利点について説明する。
従来の一般的な構成においては、電源をオンにした際にコンデンサに充電が行われので、過渡電流が大きくなる。
それに対して、本実施形態の構成では、フィルタに含まれるコイルを介することにより、コンデンサに向かって流れる電流の増加を抑制し、電流をゆっくりと流れるようにすることができる。これにより、過渡電流が抑制される。
【００３６】
次に、電源側に配置するフィルタをノーマルモードフィルタとする理由を以下に記載する。
コモンモードのコイルは、交流の電圧が印加された場合、インピーダンスが低い。それに対して、ノーマルモードのコイルは、交流の電圧が印加された場合、インピーダンスが高い。その為、ノーマルモードのコイルを電源側に配置すると、過渡電流の抑制効果が高くなる。
【００３７】
また、本発明の第１の実施形態において、ノーマルモードチョークコイルのインダクタンスとコモンモードチョークコイルのインダクタンスを異なる値に設定しても良い。ノーマルモードチョークコイルのインダクタンスとコモンモードチョークコイルのインダクタンスを異なる値にすると、低い周波数帯域と高い周波数帯域の両方で雑音端子電圧を低減し、伝導ノイズを抑制することが可能となる。
【００３８】
図４（ａ）は、第１の実施形態に係るＬＥＤ照明ユニット用電源回路を構成する回路部品を回路基板４０に配置した状態を回路基板４０の表面から示す。また、図４（ｂ）は、該回路部品を回路基板４０に配置した状態を回路基板４０の裏面から示す。
【００３９】
図５は、第１の実施形態に係るＬＥＤ照明ユニット用電源回路を構成する各回路部品が回路基板４０にどのよう配置されているかを示す。
図５に示される回路基板４０において、ノーマルモードチョークコイルＬ１とＬ２、コモンモードチョークコイルＬ３、ブリッジダイオード３７、スイッチング素子３８、及びスイッチングトランス３９等の比較的大きな部品が最適に配置されている。そして、これらの大きな部品の間に、コンデンサＣ１〜Ｃ５、バリスタＺＮＲ１とＺＮＲ２等がコンパクトに配置される。上述のように、第１の実施形態に係るＬＥＤ照明ユニット用電源回路において、各回路部品が回路基板４０にコンパクトで効率的に配置されていることがわかる。
【００４０】
［第２の実施形態］
図６は、本発明の第２の実施形態に係るＬＥＤ照明装置１０１の等価回路図を示す。第２の実施形態に係るＬＥＤ照明装置１０１は、第１の実施形態に係るＬＥＤ照明ユニット用電源回路３Ａ、３Ｂを複数個接続し、接続されたＬＥＤ照明ユニット用電源回路３Ａ、３Ｂを連結駆動することにより、ＬＥＤ照明ユニット１０３に直流電流を供給し照明装置として動作させている。第２の実施形態に係るＬＥＤ照明装置１０１において、ＬＥＤ照明ユニット用電源回路１０３は、第１の実施形態に係るＬＥＤ照明ユニット用電源回路３Ａ、３Ｂを複数個接続して連結駆動することにより、ＬＥＤ照明ユニットの高出力化に対応している。
【００４１】
第２の実施形態に係るＬＥＤ照明装置１０１において、各ＬＥＤ照明ユニット用電源回路３Ａ、３Ｂは、それぞれ入力フィルタ回路３１Ａ、３１Ｂを有し、各入力フィルタ回路３１Ａと３１Ｂは、それぞれノーマルモードフィルタ３２Ａ、３２Ｂとコモンモードフィルタ３３Ａ、３３Ｂとを備える。第２の実施形態に係るＬＥＤ照明装置１０１の各ＬＥＤ照明ユニット用電源回路３Ａ、３Ｂは、第１の実施形態に係るＬＥＤ照明ユニット用電源回路と同様に、それぞれノーマルモードフィルタ３２Ａ、３２Ｂとコモンモードフィルタ３３Ａ、３３Ｂの両方を備えるので、電源回路の容量に起因し過度応答の際に発生する突入電流と伝導ノイズに起因する雑音端子電圧の両方を低減することが可能になる。
【００４２】
一般的には、複数個のＬＥＤ照明ユニット用電源回路を接続して１個の高出力ＬＥＤ照明ユニット用電源回路を構成すると、ＬＥＤ照明ユニット用電源回路全体としてみると各ＬＥＤ照明ユニット用電源回路の突入電流が加算されて突入電流が増加する。
しかしながら、第２の実施形態に係る複数個のＬＥＤ照明ユニット用電源回路の各々３Ａ、３Ｂでは、第１の実施形態と同様に突入電流が低減されているので、第２の実施形態に係るＬＥＤ照明ユニット用電源回路１０３において、複数個のＬＥＤ照明ユニット用電源回路３Ａ、３Ｂを連結駆動させても突入電流の増加量を一定値以下に抑制することが可能である。
【００４３】
また、図６に示す第２の実施形態に係るＬＥＤ照明装置１０１において、連結されるＬＥＤ照明ユニット用電源回路３Ａ、３Ｂの各々が、直流電流をＬＥＤ照明ユニット１０２に供給するためのスイッチ３８Ａ、３８Ｂを備えても良い。各々のスイッチ３８Ａ、３８Ｂをオンオフのタイミングをずらして動作させることにより、更に突入電流のピーク値を抑制することが可能になる。
【００４４】
以上、第２の実施形態に係るＬＥＤ照明装置を２個のＬＥＤ照明ユニット用電源回路を連結接続した場合について説明したが、ＬＥＤ照明ユニット用電源回路の連結接続数は複数個であれば２個に限定されない。
【符号の説明】
【００４５】
１、１０１  ＬＥＤ照明装置
２、１０２  ＬＥＤ照明ユニット
３、３Ａ、３Ｂ、１０３  ＬＥＤ照明ユニット用電源回路
３１、３１Ａ、３１Ｂ  入力フィルタ回路
３２、３２Ａ、３２Ｂ  ノーマルモードフィルタ
３３、３３Ａ、３３Ｂ  コモンモードフィルタ
３６、３６Ａ、３６Ｂ  直流電流供給回路
３７、３７Ａ、３７Ｂ  ブリッジダイオード
３８、３８Ａ、３８Ｂ  スイッチング素子
３９、３９Ａ、３９Ｂ  スイッチングトランス
４０  回路基板
Ｌ１  ノーマルモードチョークコイル
Ｌ２  ノーマルモードチョークコイル
Ｌ３  コモンモードチョークコイル
Ｌ４  チョークコイル
Ｃ１  コンデンサ
Ｃ２  コンデンサ
Ｃ３  コンデンサ
Ｃ４  コンデンサ
Ｃ５  コンデンサ
ＴＨ１  サーミスタ
ＺＮＲ１  バリスタ
ＺＮＲ２  バリスタ
Ｆ１  ヒューズ
【図１】
2015056271.tif 000003
【図２】
2015056271.tif 000004
【図３】
2015056271.tif 000005
【図４】
2015056271.tif 000006
【図５】
2015056271.tif 000007
【図６】
2015056271.tif 000008